(57)【要約】【課題】相手側コネクタの嵌入、離脱に係る力を受けても破壊され難い高い剛性を有し、電気的な接続も安定させることが可能な電気コネクタ、電気コネクタセットを提供する。【解決手段】相手側の電気コネクタのコネクタハウジングと対面方向に凹凸係合可能なコネクタハウジング２１と、コネクタハウジング２１に略同一平面上に配列された複数列の接続端子列２２ａ、２２ｂと、接続端子列２２ａ、２２ｂの列方向の両外方側でコネクタハウジング２１に装着された導電性の第１プレート２６を有する導電性部材２５Ａと、コネクタハウジング２１に沿って延在する導電性の補強金具２４と、を備え、該補強金具２４は、少なくとも一部が第１プレート２６の少なくとも一部の上に重なった状態でコネクタハウジング２１に装着されている。【選択図】図９
2020057499.tif 000002
【特許請求の範囲】
【請求項１】
相手側コネクタのコネクタハウジングと対面方向に凹凸係合可能なコネクタハウジングと、
前記コネクタハウジングに略同一平面上に配列された複数列の接続端子列と、
前記複数列の接続端子列よりも該接続端子の列方向の両外方側で前記コネクタハウジングに装着された導電性の第１プレートを有する導電性部材と、
前記コネクタハウジングに沿って延在する導電性の補強金具と、を備え、
前記補強金具は、前記補強金具の少なくとも一部が前記第１プレートの少なくとも一部の上に重なった状態で前記コネクタハウジングに装着されていることを特徴とする電気コネクタ。
【請求項２】
前記導電性部材は、前記コネクタハウジングに設けられ、前記複数列の接続端子列の間で該接続端子の列方向に延在する導電性の第２プレートをさらに有し、前記第１プレートと前記第２プレートが連結した一体物であることを特徴とする請求項１に記載の電気コネクタ。
【請求項３】
前記導電性部材は、前記第１プレートと前記第２プレートを連結する連結板を有し、前記連結板が前記第１プレートのプレート面と前記第２プレートのプレート面に直交していることを特徴とする請求項２に記載の電気コネクタ。
【請求項４】
前記連結板は、前記複数列の接続端子列の列方向の外方にコネクタハウジングから露出していることを特徴とする請求項３に記載の電気コネクタ。
【請求項５】
前記導電性部材は、前記第１プレートの前記複数列の接続端子列の列幅方向両側に設けられ、前記凹凸係合時に前記相手側コネクタの係合部に係合して前記相手側コネクタを弾性的に保持する弾性保持部材を有し、
前記補強金具は、前記弾性保持部材を上側から覆うカバー部を有することを特徴とする請求項１ないし４のいずれか１項に記載の電気コネクタ。
【請求項６】
前記弾性保持部材は、前記第１プレートの前記複数列の接続端子列の列方向に垂直な方向両側で互いに向き合う位置に設けられる一対のばね部材で構成されることを特徴とする請求項５に記載の電気コネクタ。
【請求項７】
請求項１ないし６に記載の電気コネクタと、前記相手側コネクタと、を備えたことを特徴とする電気コネクタセット。
【発明の詳細な説明】
【技術分野】
【０００１】
本発明は、電気コネクタ、および電気コネクタセットに関し、特に回路基板に実装されて互いに凹凸嵌合するソケットまたはプラグタイプの電気コネクタ、およびソケットとプラグからなる電気コネクタセットに関する。
【背景技術】
【０００２】
従来、基板に実装される平板状の電気コネクタが、回路基板にフレキシブル回路基板を接続するコネクタ等に使用されている。
【０００３】
この種の電気コネクタとしては、例えば、第１のコネクタと第２のコネクタを互いに嵌合して構成される多極コネクタにおいて、第１および第２のコネクタに端子を複数列設け、端子の列間における電磁的干渉を抑制するために、端子の列間に導電性のシールド部材を設けたものが知られている（例えば、特許文献１参照）。
【０００４】
引用文献１に記載のものにおいては、特に、第２のコネクタ５４の２列の内部端子６２の間にシールド部材６８を設け、該２列の内部端子６２およびシールド部材６８の少なくとも一部を囲う位置に第２の外部端子６６を設けた構造を有している（特に、段落００７９、図１４参照）。
【０００５】
また、この種の他のコネクタとしては、例えば、コネクタを大型化することなく相手コネクタに対する十分なばね性を確保する目的で、ハウジング１０の対向する側壁１４に向けて第一および第二弾性腕部３５、３６を延ばし、これらの先端部分にそれぞれ第一および第二接触部３５Ｃ、３６Ｃを形成した電源端子を有するものが知られている（例えば、特許文献２参照。特に、段落０００８、００３４、００３６、図５、図７参照）。
【先行技術文献】
【特許文献】
【０００６】
【特許文献１】特開２０１８−１１６９２５号公報
【特許文献２】特許第５９７２８５５号
【発明の概要】
【発明が解決しようとする課題】
【０００７】
しかしながら、特許文献１に記載のものにおいては、シールド部材と外部端子とは別の部品で構成され、接触面積も小さいために剛性が不足し、コネクタ嵌合時に、内部に嵌合される相手側コネクタにより回転方向に力がかかると、コネクタの内側のシールド部材と、外側の外部端子は個別に力がかかって変形し易く、コネクタが破壊される懸念があるという問題あった。
【０００８】
一方、特許文献２に記載のものは、電源端子が、第一接触部と第二接触部がコネクタの長手方向の中心線を挟んで非対称の位置に配置された構成であるため、嵌合時に相手側コネクタの姿勢が傾き、電気的な接続が不安定になる懸念があるという問題があった。
【０００９】
そこで、本発明は、相手側コネクタの嵌入、離脱に係る力を受けても破壊され難い高い剛性を有し、電気的な接続も安定させることが可能な電気コネクタ、および電気コネクタセットを提供することを目的とする。
【課題を解決するための手段】
【００１０】
本発明の電気コネクタは、上記目的達成のため、相手側コネクタのコネクタハウジングと対面方向に凹凸係合可能なコネクタハウジングと、前記コネクタハウジングに略同一平面上に配列された複数列の接続端子列と、前記複数列の接続端子列よりも該接続端子の列方向の両外方側で前記コネクタハウジングに装着された導電性の第１プレートを有する導電性部材と、前記コネクタハウジングに沿って延在する導電性の補強金具と、を備え、前記補強金具は、前記補強金具の少なくとも一部が前記第１プレートの少なくとも一部の上に重なった状態で前記コネクタハウジングに装着されているものである。
【００１１】
この構成により、本発明の電気コネクタは、補強金具の少なくとも一部と導電性部材の第１プレートの少なくとも一部が重なった状態となることで当該電気コネクタの剛性を高めることができ、凹凸係合時に相手側コネクタによる力を受けても破壊され難くすることができる。また、補強金具と導電性部材の第１プレートとの接触面積を大きくすることができ、剛性を向上させることができるとともに、第１プレートを電源端子として用いる場合には、相手側コネクタとの電気的な接続を安定化させることができる。
【００１２】
本発明の電気コネクタにおいて、前記導電性部材は、前記コネクタハウジングに設けられ、前記複数列の接続端子列の間で該接続端子の列方向に延在する導電性の第２プレートをさらに有し、前記第１プレートと前記第２プレートが連結した一体物であってもよい。
【００１３】
この構成により、本発明の電気コネクタは、第１プレートと第２プレートが一体物としてコネクタハウジングに装着されているために、第１プレートのみが装着されている場合に比べて当該電気コネクタの剛性をより高めることができ、さらに破壊し難くすることができる。
【００１４】
本発明の電気コネクタにおいて、前記導電性部材は、前記第１プレートと前記第２プレートを連結する連結板を有し、前記連結板が前記第１プレートのプレート面と前記第２プレートのプレート面に直交している構成とすることもできる。
【００１５】
この構成により、本発明の電気コネクタは、相手側コネクタの嵌入、離脱に際し、第１プレートのプレート面、および該プレート面に直交する第２プレートのプレート面に加わるそれぞれ異なる方向から力に対しても変形し難い高い剛性を確保することができる。また、剛性の向上により、相手側コネクタの嵌入、離脱に係る力を受けても破壊され難く、電気的な接続も安定させることができる。
【００１６】
本発明の電気コネクタにおいて、前記連結板は、前記複数の接続端子列の列方向の外方にコネクタハウジングから露出しているものであってもよい。
【００１７】
この構成により、本発明の電気コネクタは、露出した連結板が相手側コネクタのコネクタハウジングの外側面に当接することにより、当該電気コネクタの剛性をさらに高めることができる。
【００１８】
本発明の電気コネクタにおいて、前記導電性部材は、前記第１プレートの前記複数の接続端子列の列幅方向両側に設けられ、前記凹凸係合時に前記相手側コネクタの係合部に係合して前記相手側コネクタを弾性的に保持する弾性保持部材を有し、前記補強金具は、前記弾性保持部材を上側から覆うカバー部を有する構成であってもよい。
【００１９】
この構成により、本発明の電気コネクタは、相手側コネクタを嵌入、離脱させる際に相手側コネクタが弾性保持部材に干渉することを抑制しつつ、相手側コネクタの姿勢に影響を与えることなく安定した電気的接続を実現できる。
【００２０】
本発明の電気コネクタにおいて、前記弾性保持部材は、前記第１プレートの前記複数の接続端子列の列方向に垂直な方向両側で互いに向き合う位置に設けられる一対のばね部材で構成されていてもよい。
【００２１】
この構成により、本発明の電気コネクタは、弾性保持部材が非対称な位置に設けられている場合に比べて、相手側コネクタ姿勢の傾きを抑制することができ、電気的な接続が不安定になることを防止することができる。
【００２２】
本発明の電気コネクタセットは、上記目的達成のため、上述した本発明の電気コネクタと、前記相手側コネクタと、を備えた構成を有するものである。
【００２３】
この構成により、本発明の電気コネクタセットは、相手側コネクタと凹凸係合する電気コネクタが、補強金具の少なくとも一部と導電性部材の第１プレートの少なくとも一部が重なった状態となる構成によって高い剛性を有するものとなり、凹凸係合時に相手側コネクタによる力を受けても破壊され難くすることができる。また、この電気コネクタセットでは、相手側コネクタの凹凸係合を受ける電気コネクタ側で、補強金具と導電性部材の第１プレートとの接触面積を大きくすることができ、剛性を向上させることができるとともに、第１プレートを電源端子として用いる場合には、相手側コネクタとの電気的な接続を安定化させることができる。
【発明の効果】
【００２４】
本発明によれば、相手側コネクタの嵌入、離脱に係る力を受けても破壊され難い高い剛性を有し、電気的な接続も安定させることが可能な電気コネクタ、および電気コネクタセットを提供することができる。
【図面の簡単な説明】
【００２５】
【図１】本発明の第１実施形態に係る電気コネクタ（ソケット）の要部の一部破砕断面を含む斜視図である。
【図２】本発明の第１実施形態に係る電気コネクタセットの分解斜視図である。
【図３】本発明の第１実施形態に係る電気コネクタセットのソケットとプラグとの雌雄結合状態を示す斜視図であり、（ａ）はその上面側を、（ｂ）はその下面側を示している。
【図４】本発明の第１実施形態に係る電気コネクタ（ソケット）の外観斜視図であり、（ａ）はその上面側の外観を、（ｂ）はその下面側の外観を示している。
【図５】本発明の第１実施形態に係る電気コネクタ（プラグ）の外観斜視図であり、（ａ）は凸形状をなすその下面側の外観を、（ｂ）はその上面側の外観を示している。
【図６】本発明の第１実施形態に係る電気コネクタ（ソケット）のコネクタハウジングに装着される導電性部材の斜視図である。
【図７】本発明の第１実施形態に係る電気コネクタ（ソケット）のコネクタハウジングにおける導電性部材と接続端子列との配置態様を示す斜視図である。
【図８】本発明の第１実施形態に係る電気コネクタ（ソケット）の分解斜視図であり、上側は補強金具の外観を、下側は導電性部材が装着されたコネクタハウジングの外観を示している。
【図９】（ａ）は本発明の第１実施形態に係る電気コネクタ（ソケット）の長手方向の縦断面図、（ｂ）はそのソケットの長手方向の縦断面を含む斜視図である。
【図１０】本発明の第１実施形態に係る電気コネクタ（ソケット）の長手方向端部の横断面図である。
【図１１】（ａ）は本発明の第１実施形態に係る電気コネクタセットにおけるソケットとプラグとの雌雄結合状態を示す長手方向の縦断面図、（ｂ）はその電気コネクタセットにおける長手方向端部の横断面図である。
【図１２】本発明の第２実施形態に係る電気コネクタ（ソケット）の外観斜視図であり、（ａ）はその上面側の外観を、（ｂ）はその下面側の外観を示している。
【図１３】本発明の第２実施形態に係る電気コネクタ（ソケット）のコネクタハウジングに装着される導電性部材の斜視図である。
【図１４】（ａ）は本発明の第２実施形態に係る電気コネクタ（ソケット）の長手方向の縦断面図、（ｂ）はそのソケットの長手方向端部の横断面図である。
【図１５】本発明の第３実施形態に係る電気コネクタ（ソケット）の外観斜視図であり、（ａ）はその上面側の外観を、（ｂ）はその下面側の外観を示している。
【図１６】本発明の第３実施形態に係る電気コネクタ（ソケット）の分解斜視図であり、上側は補強金具の外観を、下側は導電性部材が装着されたコネクタハウジングの外観を示している。
【図１７】本発明の第３実施形態に係る電気コネクタ（ソケット）のコネクタハウジングに装着される導電性部材の斜視図である。
【図１８】（ａ）は本発明の第３実施形態に係る電気コネクタ（ソケット）の長手方向縦断面図、（ｂ）はそのソケットの長手方向端部の横断面図である。
【発明を実施するための形態】
【００２６】
以下、本発明を実施するための形態について、図面を参照しつつ説明する。
【００２７】
（第１実施形態）
図１ないし図１１は、本発明の第１実施形態に係る電気コネクタを示している。
【００２８】
以下においては、主にソケット側の電気コネクタ２０Ａを例にその構成について説明するが、プラグ側の電気コネクタ３０Ａに本発明を適用することもできる。
【００２９】
図１ないし図３に示すように、本実施形態の電気コネクタセット１０は、対面方向に凹凸係合するソケット状の電気コネクタ２０Ａとプラグ状の電気コネクタ３０Ａとを有する。
【００３０】
電気コネクタ２０Ａのコネクタ本体部２０は、主に上面側で凹状をなし下面側で略平坦状をなすように射出成形された合成樹脂製のコネクタハウジング２１と、コネクタハウジング２１にそれぞれ略同一平面上（共面的）に配列された複数列の雌雄片方側、例えば雌側の接続端子列２２ａ、２２ｂの該接続端子の列方向外方に設けられる部分（第１プレート２６）、および複数列の接続端子列２２ａ、２２ｂの間に設けられ得る部分（第２プレート２７）を有する導電性部材２５Ａ（図６参照）と、を有する。
【００３１】
図１ないし図４に示すように、コネクタハウジング２１は、例えば角環状の溝形状をなす凹状嵌合部２１ａと、凹状嵌合部２１ａに沿って延びる外表面２１ｂと、回路基板Ｐ（図２参照）に対面する基板対向面２１ｃ（図３（ｂ）参照）と、凹状嵌合部２１ａが形成される面の中央部に突出して設けられ、該凹状嵌合部２１ａの溝形状に沿って配列された複数列の端子保持部２１ｈ、２１ｉを有する中央突起体２１ｊとを有している。
【００３２】
複数列の接続端子列２２ａ、２２ｂは、図１中のＸ方向を列幅方向としてコネクタハウジング２１の複数の端子保持部２１ｈ、２１ｉに嵌入されたレセプタクルコンタクトであり、それぞれコネクタハウジング２１に抜け止め状態に保持されている。
【００３３】
図２および図５に示すように、相手側の電気コネクタ３０Ａのコネクタ本体部３０は、主に片面側で凸状をなすコネクタハウジング３１と、コネクタハウジング３１にそれぞれ共面的に配置された複数列の雌雄もう片方側、例えば雄側の接続端子列３２ａ、３２ｂと、を有している。
【００３４】
コネクタハウジング３１は、例えば角環状の突条形状をなす凸状嵌合部３１ａと、凸状嵌合部３１ａに沿って延びる外表面３１ｂ（図５（ａ）参照）と、凸状嵌合部３１ａの内方に位置する中央凹部３１ｃとを有している。
【００３５】
複数列の接続端子列３２ａ、３２ｂは、コネクタハウジング３１の凸状嵌合部３１ａに一体に装着されたプラグコンタクトであり、それぞれの外端部分が互いに平行に整列している。
【００３６】
電気コネクタ２０Ａおよび相手側の電気コネクタ３０Ａのコネクタ本体部２０、３０には、導電性の補強金具２４、３４が設けられている。
【００３７】
図１ないし図４、および図８に示すように、電気コネクタ２０Ａのコネクタ本体部２０は、対応するコネクタハウジング２１に外装された導電性の補強金具２４を有している。補強金具２４は、板金を所定形状にプレス加工したもので、コネクタハウジング２１の短手方向両側の外表面２１ｂに沿って延在する一対の長側板部２４ａと、コネクタハウジング２１の凹状嵌合部２１ａより外方側でコネクタハウジング２１の外表面２１ｂに沿って延在する一対の連結板部２４ｂと、一対の連結板部２４ｂから凹状嵌合部２１ａの内奥側（下向き）に突出するように曲げ加工された各一対の内外の端板部２４ｃと、両端側で一対の長側板部２４ａおよび一対の連結板部２４ｂに連続するとともに中間部で曲げ加工された折曲形状を有する各一対の曲げ連結部２４ｄとを有している。
【００３８】
補強金具２４において、各一対の内外の端板部２４ｃには、相手側の電気コネクタ３０Ａを凹凸係合させたときに該電気コネクタ３０Ａの段付き凹部３４ｃと係合する係合凸部２４ｆが設けられている。
【００３９】
また、補強金具２４は、一対の内外の端板部２４ｃが、コネクタハウジング２１の長手方向両端部で導電性部材２５Ａの補強金具接続部の少なくとも一部に重なって状態でコネクタハウジング２１に装着されている（図９ないし図１１参照）。なお、導電性部材２５Ａは、その構成について後で図６を参照して詳しく説明するように、補強金具接続部としての側端板２６ｂ、２６ｃ、２６ｄ（図６参照）を有する第１プレート２６を備えている。さらに、導電性部材２５Ａは、コネクタ本体部２０の対応するコネクタハウジング２１の基板対向面２１ｃ側に露出する複数の略方形凸面状のグランド接続部２６ａ１、２７ｂ（図３（ｂ）参照）を有している。これにより、補強金具２４は、導電性部材２５Ａに対して機械的および電気的に結合されており、導電性部材２５Ａを介して回路基板Ｐのグランド部に接続されることで、接地シールド化できるようになっている。
【００４０】
なお、補強金具２４における一対の端板部２４ｃの各一対の下端部および各一対の曲げ連結部２４ｄの下端部は、コネクタハウジング２１の各列の接続端子列２２ａ、２２ｂの下面および導電性部材２５Ａのグランド接続部２６ａ１、２７ｂ（図３（ｂ）、図４（ｂ）参照）の下面に対して略同一平面上に配置されているか所定の突出高さに設定されている。
【００４１】
図５に示すように、相手側の電気コネクタ３０Ａのコネクタ本体部３０に設けられた補強金具３４は、コネクタハウジング３１の長手方向全域でその上面３１ｄに沿って延在する上面カバー部３４ａ（図５（ｂ）参照）と、コネクタハウジング３１の長手方向両端面およびその近傍の下面を覆う両端板部３４ｂと、両端板部３４ｂの一部に形成された段付き凹部３４ｃと、両端板部３４ｂからコネクタハウジング３１の上面側に延設された各一対の着脱操作部３４ｄと、両端板部３４ｂからコネクタハウジング３１の両側面側に延設された各一対の側板部３４ｅと、を有している。このうち、各一対の側板部３４ｅには、電気コネクタ２０Ａに対する凹凸係合時に、導電性部材２５Ａに設けられる係合凸部２６ｆ（図６参照）に係合して当該係合を保持する係合凹部３４ｆが形成されている。
【００４２】
次に、電気コネクタ２０Ａのコネクタハウジング２１に装着される導電性部材２５Ａおよび補強金具２４の構成について詳しく説明する。図６は、導電性部材２５Ａの構成を示す斜視図であり、図７は、導電性部材２５Ａと複数列の接続端子列２２ａ、２２ｂの配置態様を示す斜視図である。
【００４３】
図６に示すように、導電性部材２５Ａは、導電性の部材で構成され、第１プレート２６と、第２プレート２７と、第１プレート２６と第２プレート２７を連結する連結板２８とを有している。コネクタハウジング２１において、第１プレート２６は、複数列の接続端子列２２ａ、２２ｂよりも該接続端子の列方向の両外方側でコネクタハウジング２１に装着されており、第２プレート２７は複数列の接続端子列２２ａ、２２ｂの間で該接続端子の列方向に延在している。
【００４４】
本実施形態に係る電気コネクタ２０Ａは、特に、上記構造を有する２つの導電性部材２５Ａを、第２プレート２７の第１プレート２６とは反対側の端部同士が近接するように、複数列の接続端子列２２ａ、２２ｂの接続端子の列方向に配列した構成を有している。導電性部材２５Ａは、図６に示す構成の変形例として、第２プレート２７同士が１つに連結され、該１つの第２プレート２７の反対側の両端部に第１プレート２６がそれぞれ形成された構成であってもよい。この変形例の構成については、後述する第２および第３実施形態に係る導電性部材２５Ｂ、２５Ｃの変形例についても同様である。
【００４５】
図６に示すように、２つの導電性部材２５Ａは、それぞれ、第１プレート２６と第２プレート２７が連結板２８により連結された一体物で構成されている。導電性部材２５Ａにおいて、連結板２８は、第１プレート２６のプレート面２６ａと第２プレート２７のプレート面２７ａに直交している。連結板２８は、接続端子列２２ａ、２２ｂの列方向の外方にコネクタハウジング２１から露出しているのが好ましい。具体的に、連結板２８は、コネクタハウジング２１の中央突起体２１ｊにおける接続端子列２２ａ、２２ｂの列方向両端側の側面から露出しかつその一部が該側面に接した状態で配設されることが望ましい。
【００４６】
導電性部材２５Ａにおける第１プレート２６および第２プレート２７のうち、第２プレート２７は、電気コネクタ２０Ａおよび相手側の電気コネクタ３０Ａのコネクタ本体部２０、３０の結合・離脱方向（図１中のＺ方向）および接続端子列２２ａ、２２ｂの列方向（図１中のＹ方向）に延設される平坦面であるプレート面２７ａを有する板状部材で構成される。第２プレート２７は、プレート面２７ａの下端側面部に、接続端子列２２ａ、２２ｂの列方向（図１中のＹ方向）に沿って所定の間隔ごとに複数のグランド接続部２７ｂが形成されている。
【００４７】
導電性部材２５Ａにおいて、第１プレート２６は、上記結合・離脱方向および接続端子列２２ａ、２２ｂの列幅方向（図１中のＸ方向）に延設される平坦面であるプレート面２６ａと、該プレート面２６ａにおける連結板２８接続端以外の３方の端部から上記結合・離脱方向に沿って立設される側端板２６ｂ、２６ｃ、２６ｄを有している。
【００４８】
側端板２６ｂは、プレート面２６ａにおける連結板２８接続端に対向する端部から立設されている。側端板２６ｂは、当該導電性部材２５Ａが装着されているコネクタハウジング２１に補強金具２４が外装されたときに、補強金具２４の各一対の内外の端板部２４ｃがその一部が重ね合わされる部分である。この側端板２６ｂに重ね合わされる補強金具２４の各一対の内外の端板部２４ｃは、コネクタハウジング２１の凹状嵌合部２１ａにおける接続端子列２２ａ、２２ｂの列方向の両側端を規定するようになっている。なお、側端板２６ｂが立設されるプレート面２６ａには、該側端板２６ｂの両側でその一部が外方に向かって延設される一対のグランド接続部２６ａ１が形成されている。
【００４９】
側端板２６ｃ、２６ｄは、プレート面２６ａにおける連結板２８接続端に隣接する各端部から立設され、コネクタハウジング２１の凹状嵌合部２１ａにおける接続端子列２２ａ、２２ｂの列幅方向の両側端を規定するようになっている。
【００５０】
第１プレート２６において、側端板２６ｂは、上端側の端部で接続端子列２２ａ、２２ｂの列方向外方に突出されかつ該側端板２６ｂの基部の外側に折り曲げ加工された湾曲形状の延在部２６ｂ１を有している。延在部２６ｂ１は、その末端側で側端板２６ｂの非折り曲げ加工部分（側端板２６ｂの基部）との間に開口を有する溝部２６ｂ２を形成している。同様に、第１プレート２６において、側端板２６ｃ、２６ｄは、接続端子列２２ａ、２２ｂの列幅方向外方に突出されかつ該側端板２６ｃ、２６ｄの基部の外側に折り曲げ加工された湾曲形状の延在部２６ｃ１、２６ｄ１を有している。延在部２６ｃ１、２６ｄ１は、それぞれ、その末端側で側端板２６ｃ、２６ｄの非折り曲げ加工部分（側端板２６ｃ、２６ｄの各基部）との間に開口を有する溝部２６ｃ２、２６ｄ２を形成している。
【００５１】
導電性部材２５Ａの第１プレート２６に形成される溝部２６ｂ２、２６ｃ２および２６ｄ２は、それぞれ、コネクタハウジング２１に当該溝部２６ｂ２、２６ｃ２および２６ｄ２にそれぞれ対応して形成される係合凸部の係合を受け入れる係合凹部としての機能を果たす。なお、コネクタハウジング２１は、上記係合凸部として、接続端子列２２ａ、２２ｂの列方向の両外方で一対の側端板２６ｂの各溝部２６ｂ２に係合する列方向係合部２１ｅ（図９参照）と、接続端子列２２ａ、２２ｂの列幅方向の両外方で側端板２６ｃ、２６ｄの溝部２６ｃ２、２６ｄ２にそれぞれ係合する列幅方向係合部２１ｆ（図１０参照）と、を有している。
【００５２】
導電性部材２５Ａは、第１プレート２６の側端板２６ｃ、２６ｄに、それぞれ、相手側の電気コネクタ３０Ａのコネクタ本体部３０に設けられる係合凹部３４ｆに係合する係合凸部２６ｆが形成されている。係合凸部２６ｆは、接続端子列２２ａ、２２ｂの列幅方向両側の対称な位置に設けられる一対の弾性突起部材で構成されている。係合凸部２６ｆは、接続端子列２２ａ、２２ｂの列方向両側に各一対設けられている。
【００５３】
図６に示す構成を有する２つの導電性部材２５Ａを装着したコネクタハウジング２１を含む電気コネクタ２０Ａは、２つの導電性部材２５Ａと接続端子列２２ａ、２２ｂとが、コネクタハウジング２１内で、例えば、図７に示すような配置関係を有している。すなわち、２つの導電性部材２５Ａと接続端子列２２ａ、２２ｂとは、それぞれの導電性部材２５Ａの第２プレート２７が接続端子列２２ａ、２２ｂの間に介挿された状態に配置されている。この配置状態において、各導電性部材２５Ａは、第２プレート２７に設けられるグランド接続部２７ｂにより、コネクタハウジング２１の基板対向面２１ｃ側で回路基板Ｐ（図２参照）に対してグランド接続（接地）されることで、接続端子列２２ａ、２２ｂ間のシールド材として機能し得るものである。
【００５４】
なお、各列の接続端子列２２ａ、２２ｂ中に接地シールド板が配置される場合、導電性部材２５Ａは、各列の接続端子列２２ａ、２２ｂ中の接地シールド板に接続されてもよいが、導電性部材２５Ａに接続されることなく、各列の接続端子列２２ａ、２２ｂ中の接地シールド板が回路基板Ｐ側のグランド部に直接接続されてもよい。
【００５５】
導電性部材２５Ａは、コネクタハウジング２１にインサート成形されて一体化されたものであるか、あるいは、成形後のコネクタハウジング２１に圧入されたものである。
【００５６】
本実施形態に係る電気コネクタ２０Ａにおいて、コネクタハウジング２１は、例えば、コネクタハウジング２１の型枠内に図７に示す位置関係で２つの導電性部材２５Ａと接続端子列２２ａ、２２ｂとを配置し、該型枠内に合成樹脂を流し込むことにより、２つの導電性部材２５Ａと接続端子列２２ａ、２２ｂがインサート成形されたものである。図８に示すコネクタハウジング２１の分解斜視図において、下側の図は、上記インサート成形により得られるコネクタハウジング２１の外観構造を示している。
【００５７】
図８に示すように、インサート成形によって得られるコネクタハウジング２１は、その上方側から補強金具２４（図８の上側の図参照）を外装することにより、例えば、図４（ａ）に示す構造のコネクタ本体部２０を有する電気コネクタ２０Ａとなり得る。
【００５８】
図４（ａ）における電気コネクタ２０ＡのＡ−Ａ線による断面図を図９（ａ）に示し、図９（ａ）に示す縦断面を含む電気コネクタ２０Ａの斜視図を図９（ｂ）に示している。また、図４（ａ）における電気コネクタ２０ＡのＢ−Ｂ線による断面図を図１０に示している。
【００５９】
図９（ａ）および（ｂ）に示すように、本実施形態に係る電気コネクタ２０Ａは、コネクタハウジング２１と導電性部材２５Ａとの関係については、コネクタハウジング２１の長手方向の両端位置で、それぞれの導電性部材２５Ａの第１プレート２６における側端板２６ｂの溝部２６ｂ２に対して、コネクタハウジング２１の列方向係合部２１ｅが係合した状態となっている。また、導電性部材２５Ａと補強金具２４との関係については、補強金具２４の一対の連結板部２４ｂの内面の一部が、導電性部材２５Ａの第１プレート２６における側端板２６ｂの延在部２６ｂ１の上面に一部が重なった状態となっている。さらに、補強金具２４の各一対の内外の端板部２４ｃの内面側と、導電性部材２５Ａの第１プレート２６における側端板２６ｂの基部に接した状態となっている。
【００６０】
また、電気コネクタ２０Ａは、コネクタハウジング２１と導電性部材２５Ａとの関係については、図１０に示すように、コネクタハウジング２１の短手方向の両端位置で、それぞれの導電性部材２５Ａの第１プレート２６における側端板２６ｃ、２６ｄの溝部２６ｃ２、２６ｄ２に対して、コネクタハウジング２１の列幅方向係合部２１ｆが係合した状態となっている。また、導電性部材２５Ａと補強金具２４との関係については、補強金具２４の各一対の曲げ連結部２４ｄの内面側が、導電性部材２５Ａの第１プレート２６の側端板２６ｃ、２６ｄの各延在部２６ｃ１、２６ｄ１の外側面に接した状態となっている。
【００６１】
本実施形態に係る電気コネクタ２０Ａはまた、相手側の電気コネクタ３０Ａを雌雄結合（凹凸係合）させることにより、図３に示す外観構造を有する電気コネクタセット１０とすることができる。図１１（ａ）は、この電気コネクタセット１０の長手方向の縦断面図（図３におけるＣ−Ｃ線による断面図）であり、図１１（ａ）は、この電気コネクタセット１０の長手方向端部の横断面図（図３におけるＤ−Ｄ線による断面図）である。
【００６２】
図１１（ａ）および（ｂ）に示すように、電気コネクタセット１０は、電気コネクタ２０Ａにおいて、補強金具２４の一部（一対の連結板部２４ｂ）が、導電性部材２５Ａの第１プレート２６における側端板２６ｂの延在部２６ｂ１の上面（図１１（ａ）参照）、並びに側端板２６ｃ、２６ｄの各延在部２６ｃ１、２６ｄ１の上面および外側面（図１１（ｂ）参照）に接した状態で、相手側の電気コネクタ３０Ａの凹凸係合を受け入れ得るようになっている。
【００６３】
上述した凹凸係合時、電気コネクタセット１０においては、導電性部材２５Ａの側端板２６ｂ、２６ｃ、２６ｄが補強金具２４の一対の連結板部２４ｂ、各一対の内外の端板部２４ｃ、各一対の曲げ連結部２４ｄに対して電気的に接続されるとともに、導電性部材２５Ａの第１プレート２６のプレート面２６ａが、相手側の電気コネクタ３０Ａの補強金具３４の両端板部３４ｂに対し抜止め嵌合とともに電気的に接続される。これにより、電気コネクタセット１０では、電気コネクタ２０Ａおよび相手側の電気コネクタ３０Ａのコネクタ本体部２０、３０が、これらの結合時に両補強金具２４、３４を、それぞれ導電性部材２５Ａを介して接地シールドできるように構成されている。なお、ここにいう抜止め嵌合は、抜けることを防止する嵌合状態、例えば着脱方向に対し直交する方向に凹凸を有する嵌合状態を意味し、一方が弾性的に係合し、他方がそれを平面的に受ける組合せは含まれない。
【００６４】
上述したように、本実施形態の電気コネクタ２０Ａでは、補強金具２４の少なくとも一部と導電性部材２５Ａの第１プレート２６の少なくとも一部が重なった状態となるように補強金具２４がコネクタハウジング２１に装着されている（図９ないし図１１参照）。
【００６５】
この電気コネクタ２０Ａの構成によれば、補強金具２４の少なくとも一部と導電性部材２５Ａの第１プレート２６の少なくとも一部が重なった状態となることで当該電気コネクタ２０Ａの剛性を高めることができ、凹凸係合時に相手側の電気コネクタ３０Ａによる力を受けても破壊され難くすることができる。また、補強金具２４と導電性部材２５Ａの第１プレート２６との接触面積を大きくすることができ、剛性を向上させることができるとともに、第１プレート２６を電源端子として用いる場合には、相手側の電気コネクタ３０Ａとの電気的な接続を安定化させることが可能になる。
【００６６】
また、本実施形態に係る電気コネクタ２０Ａでは、導電性部材２５Ａは、コネクタハウジング２１に設けられ、複数列の接続端子列２２ａ、２２ｂの間で該接続端子の列方向に延在する導電性の第２プレート２７をさらに有し、第１プレート２６と第２プレート２７が連結した一体物で構成されている（図６参照）。
【００６７】
これにより、本実施形態に係る電気コネクタ２０Ａは、第１プレート２６と第２プレート２７が一体物としてコネクタハウジング２１に装着されるため、第１プレート２６のみ装着されている場合に比べて当該電気コネクタ２０Ａの剛性をより高めることができる。このため、相手側の電気コネクタ３０Ａの凹凸係合時に該電気コネクタ３０Ａによる力を受けた場合であってもさらに破壊され難くすることが可能になる。
【００６８】
また、本実施形態に係る電気コネクタ２０Ａは、導電性部材２５Ａが、第１プレート２６と第２プレート２７を連結する連結板２８を有し、連結板２８が第１プレート２６のプレート面２６ａと第２プレート２７のプレート面２７ａに直交している構成を有する。
【００６９】
これにより、本実施形態に係る電気コネクタ２０Ａは、相手側の電気コネクタ３０Ａの嵌入、離脱に際し、第１プレート２６のプレート面２６ａ、および該プレート面２６ａに直交する第２プレート２７のプレート面２７ａに加わる異なる方向から力に対しても変形し難い高い剛性を確保することができる。また、剛性の向上により、相手側の電気コネクタ３０Ａの嵌入、離脱に係る力を受けても破壊され難く、電気的な接続も安定させることができる。
【００７０】
また、本実施形態に係る電気コネクタ２０Ａにおいて、連結板２８は、複数の接続端子列２２ａ、２２ｂの列方向の外方にコネクタハウジング２１から露出している構成を有する。これにより、本実施形態に係る電気コネクタ２０Ａは、露出した連結板２８が相手側電気コネクタ３０Ａにおけるコネクタハウジング３１の凸状嵌合部３１ａの内側面に当接することで当該電気コネクタ２０Ａの剛性をさらに高めることができる。
【００７１】
また、本実施形態に係る電気コネクタセット１０は、上記構成を有する電気コネクタ２０Ａと、この電気コネクタ２０Ａに対して対面方向に凹凸係合する電気コネクタ３０Ａとにより構成されている。この電気コネクタセット１０の構成によれば、相手側の電気コネクタ３０Ａと凹凸係合する電気コネクタ２０Ａが、補強金具２４の少なくとも一部と導電性部材２５Ａの第１プレート２６の少なくとも一部が重なった状態であり、高い剛性を有する。このため、凹凸係合時に相手側の電気コネクタ３０Ａによる力を受けても、凹状嵌合部２１ａの周辺部や中央突起体２１ｊ等の各部位を破壊され難くすることができる。また、この電気コネクタセット１０では、相手側の電気コネクタ３０Ａの凹凸係合を受ける電気コネクタ２０Ａ側で、補強金具２４と導電性部材２５Ａの第１プレート２６との接触面積を大きくすることができ、第１プレート２６を電源端子として用いる場合には、相手側の電気コネクタ３０Ａとの電気的な接続を安定化させることができる。
【００７２】
以上説明したように、本実施形態では、相手側の電気コネクタ３０Ａの嵌入、離脱に係る力を受けても破壊され難い高い剛性を有し、電気的な接続も安定させることが可能な電気コネクタ２０Ａ、および電気コネクタセット１０を提供することが可能となる。
【００７３】
なお、本実施形態に係る電気コネクタ２０Ａでは、剛性向上のための構成としては、導電性部材２５Ａは、必ずしも第１プレート２６および第２プレート２７を有する必要はなく、接続端子列２２ａ、２２ｂの列方向外方の第１プレートのみを有する構成であってもよい。
【００７４】
（第２実施形態）
図１２は、本発明の第２実施形態に係る電気コネクタ２０Ｂの外観斜視図であり、（ａ）はその上面側の外観を示し、（ｂ）はその下面側の外観を示している。図１３には、本実施形態に係る電気コネクタ２０Ｂに装着される導電性部材２５Ｂの構成を斜視図で示している。なお、本実施形態に係る電気コネクタ２０Ｂは、主要な構成が前述の第１実施形態と同一か類似するものであるので、以下の説明においては、第１実施形態と類似する構成については同一符号で示し、第１実施形態と相違する点について説明する。
【００７５】
本実施形態に係る電気コネクタ２０Ｂは、第１実施形態に係る電気コネクタ２０Ａと異なる構成として、図６に示す導電性部材２５に代えて図１３に示す導電性部材２５Ｂを装着したコネクタハウジング２１−１を有している。この導電性部材２５Ｂは、複数列の接続端子列２２ａ、２２ｂよりも該接続端子の列方向の両外方側でコネクタハウジング２１−１に装着された導電性の第１プレート２６と、コネクタハウジング２１−１に設けられ、複数列の接続端子列２２ａ、２２ｂの間で該接続端子の列方向に延在する導電性の第２プレート２７を有し、第１プレート２６と第２プレート２７が連結板２８によって連結される点では第１実施形態に係る電気コネクタ２０Ａの導電性部材２５と同様である。
【００７６】
図１３に示すように、導電性部材２５Ｂは、第１プレート２６、および連結板２８の構成が第１実施形態に係る導電性部材２５Ａと異なっている。図１３において、導電性部材２５Ｂの第１プレート２６は、プレート面２６ａ、側端板２６ｂ、２６ｃ、２６ｄ、２６ｅを有している。側端板２６ｂ、２６ｃ、２６ｄ、２６ｅのうち、側端板２６ｃ、２６ｄは、第１実施形態に係る導電性部材２５の第１プレート２６と同様の構成である。これに対し、側端板２６ｂは、第１実施形態に係る導電性部材２５の第１プレート２６とは異なる構造であり、さらに側端板２６ｅは、第１実施形態に係る導電性部材２５の第１プレート２６のものにはない構成である。
【００７７】
第１プレート２６において、側端板２６ｂは、プレート面２６ａの連結板２８とは反対側の端部から立設されたうえで、接続端子列２２ａ、２２ｂの列方向外方に突出されかつ該側端板２６ｂの基部の外側に折り曲げ加工された湾曲形状の延在部２６ｂ１を有している。延在部２６ｂ１は、上記曲げ加工により、その末端側で側端板２６ｂの非折り曲げ加工部分との間に開口を有する溝部２６ｂ２が形成されている。側端板２６ｂおよび延在部２６ｂ１は、接続端子列２２ａ、２２ｂの列幅方向に幅が第１実施形態に係るものに比べて広い幅で形成されている。延在部２６ｂ１は、第１実施形態に係るものに比べて開口の間隔（導電性部材２５Ｂの長手方向の間隔）が狭く、接続端子列２２ａ、２２ｂの列方向外方への突出量が小さくかつより小さい半径の円を描くように折り曲げ加工がなされている。この折り曲げ加工により、延在部２６ｂ１は、第１実施形態ものに比べて導電性部材２５Ｂの長手方向の開口サイズが小さいものとなっている。さらに、側端板２６ｂは、延在部２６ｂ１の先端両側の一部が外方に向けて直角に折り曲げられて一対のグランド接続部２６ｂ５を形成している。側端板２６ｅは、プレート面２６ａの連結板２８側の端部から所定の幅および高さで上記結合・離脱方向に沿って立設される板状部材で構成されている。
【００７８】
一方、導電性部材２５Ｂの連結板２８は、図１３に示すように、第１板材部２８ａと、該第１板材部２８ａと一体に形成される第２板材部２８ｂを有している。第１板材部２８ａは、第１プレート２６のプレート面２６ａと第２プレート２７のプレート面２７ａに直交する板状部材により構成されている。第２板材部２８ｂは、側端板２６ｅ並びに第１板材部２８ａよりも幅が小さく、側端板２６ｅの上方と第１板材部２８ａの上方との間に上方に突出する状態（折り曲げられた状態）で連なる板状部材により構成されている。導電性部材２５Ｂにおいては、第１プレート２６、連結板２８および第２プレート２７は、それぞれが連結された一体物で構成されている。
【００７９】
上記のように構成された導電性部材２５Ｂは、図１２（ａ）に示すように、電気コネクタ２０Ｂにおいて、コネクタハウジング２１−１における中央突起体２１ｊの両側端（接続端子列２２ａ、２２ｂの列方向両側端）から、ぞれぞれの連結板２８の第２板材部２８ｂが露出した状態で当該コネクタハウジング２１−１に装着されている。このとき、補強金具２４は、導電性部材２５Ｂの上記列方向両端の一対の側端板２６ｂの一部に対して、各一対の内外の端板部２４ｃによって上側から一部重なった状態でコネクタハウジング２１−１に外装されている。また、電気コネクタ２０Ｂの下面側においては、図１２（ｂ）に示すように、導電性部材２５Ｂのグランド接続部２７ｂおよび２６ｂ５が、コネクタハウジング２１−１の基板対向面２１ｃ側に露出している。
【００８０】
これにより、電気コネクタ２０Ｂでは、導電性部材２５Ｂのグランド接続部２７ｂおよび２６ｂ５がコネクタハウジング２１−１の基板対向面２１ｃ側で回路基板Ｐ（図２参照）に対して容易にグランド接続可能になる。また、電気コネクタ２０Ｂでは、コネクタハウジング２１−１に装着されたそれぞれの導電性部材２５Ｂの第１プレート２６の側端板２６ｂが、補強金具２４−２の端板部２４ｃに接し、補強金具２４−２、３４に対して雌雄の接続端子列２２ａ、２２ｂよりもそれらの列方向の外方側でかつ列幅方向に接続される。そして、この状態において導電性部材２５Ｂによる接地シールド効果が得られることとなる。
【００８１】
上述した構成を有する電気コネクタ２０Ｂにおいては、コネクタハウジング２１−１と導電性部材２５Ｂとの係合関係、および導電性部材２５Ｂと補強金具２４との係合関係は、例えば、図１４に示すようなものとなる。図１４（ａ）は、図１２（ａ）における電気コネクタ２０ＢのＥ−Ｅ線による縦断面図を示し、図１４（ｂ）は図１２（ａ）における電気コネクタ２０ＢのＦ−Ｆ線による横断面図を示している。
【００８２】
図１４（ａ）に示すように、本実施形態に係る電気コネクタ２０Ｂは、コネクタハウジング２１−１と導電性部材２５Ｂとの関係については、コネクタハウジング２１−１の長手方向の両端位置で、それぞれの導電性部材２５Ｂの第１プレート２６における側端板２６ｂの溝部２６ｂ２に対して、コネクタハウジング２１−１の列方向係合部２１ｇが係合した状態となっている。列方向係合部２１ｇは、上述した列方向係合部２１ｅ（図９（ａ）参照）に比べて接続端子列２２ａ、２２ｂの列方向の厚さが薄いものである。また、導電性部材２５Ｂと補強金具２４との関係については、補強金具２４が、導電性部材２５Ｂの第１プレート２６における側端板２６ｂの延在部２６ｂ１に対して接した状態となっている。
【００８３】
また、電気コネクタ２０Ｂは、コネクタハウジング２１−１と導電性部材２５Ｂとの関係については、図１４（ｂ）に示すように、コネクタハウジング２１−１の短手方向の両端位置で、それぞれの導電性部材２５Ｂの第１プレート２６における側端板２６ｃ、２６ｄの溝部２６ｃ２、２６ｄ２に対して、コネクタハウジング２１−１の列方向係合部２１ｇが係合した状態となっている。また、導電性部材２５Ｂと補強金具２４との関係については、補強金具２４の各一対の曲げ連結部２４ｄの内面側が、導電性部材２５Ｂの第１プレート２６における側端板２６ｃ、２６ｄの各延在部２６ｃ１、２６ｄ１の外側面に接した状態となっている。
【００８４】
図１４からも分かるように、本実施形態においても、補強金具２４は、補強金具２４の少なくとも一部が導電性部材２５Ｂの第１プレート２６の少なくとも一部の上に重なった状態でコネクタハウジング２１−１に装着されている。これにより、本実施形態においても、電気コネクタ２０Ｂは、凹凸係合時に相手側の電気コネクタ３０Ａによる力を受けても破壊され難くすることができる。また、補強金具２４と導電性部材２５Ｂの第２プレート２７との接触面積を大きくすることができ、第１プレート２６を電源端子として用いる場合には、相手側の電気コネクタ３０Ａとの電気的な接続を安定化させることが可能となる。
【００８５】
他の構成は、前述の第１実施形態と同様であり、本実施形態においても、補強金具２４の少なくとも一部が導電性部材２５Ｂの第１プレート２６の少なくとも一部の上に重なった状態でコネクタハウジング２１−１に装着されている構成に係る効果以外にも、前述の第１実施形態と同様な効果を得ることができる。
【００８６】
（第３実施形態）
図１５は、本発明の第３実施形態に係る電気コネクタ２０Ｃの外観斜視図であり、（ａ）は上面側の外観を示し、（ｂ）は下面側の外観を示している。図１６には電気コネクタ２０Ｃの分解斜視図を示し、図１７には電気コネクタ２０Ｃに装着される導電性部材２５Ｃの斜視図を示している。
【００８７】
さらに図１８において、（ａ）は、電性部材２５Ｃが装着された電気コネクタ２０Ｃの長手方向の縦断面図を示し、（ｂ）は、電気コネクタ２０Ｃの長手方向端部の横断面図を示している。なお、本実施形態に係る電気コネクタ２０Ｃについても、第１実施形態と類似する構成については同一符号で示し、第１実施形態と相違する点について説明する。
【００８８】
図１５ないし図１７に示すように、本実施形態に係る電気コネクタ２０Ｃは、第１実施形態に係る電気コネクタ２０Ａの導電性部材２５Ａおよび補強金具２４とは異なる導電性部材２５Ｃおよび補強金具２４−２を装着したコネクタハウジング２１−２を有する。
【００８９】
導電性部材２５Ｃは、図１７に示すように、第１プレート２６の各一対の側端板２６ｃ、２６ｄに各一対の係合板部２６ｇが設けられている。この係合板部２６ｇは、第１プレート２６の接続端子列２２ａ、２２ｂの列方向に垂直な方向両側で互いに向き合う位置に設けられる一対のばね部材（この例では、板ばね部材）により構成されている。係合板部２６ｇは、例えば図１５、図１６に示す形状状態にあり、電気コネクタ２０Ｃの短手方向外方に向けて両者が離れるように弾性変形し得るものである。これにより、係合板部２６ｇは、後述するように、当該電気コネクタ２０Ｃが、コネクタハウジング２１−２の凹状嵌合部２１ａ内に相手側の電気コネクタ３０Ａの凸状嵌合部３１ａの嵌合を受け入れた際に、上記形状状態に戻ろうとする弾性力によって、電気コネクタ３０Ａの補強金具３４の係合凹部３４ｆ（図２、図５参照）が係合され得るものである。
【００９０】
電気コネクタ２０Ｃのコネクタハウジング２１−２においては、図１７に示す構成を有する２つの導電性部材２５が、第２プレート２７における第１プレート２６の反対側の端部が互いに近接するように、複数列の接続端子列２２ａ、２２ｂの接続端子の列方向に沿って装着されている。具体的に、導電性部材２５Ｃは、図１５、図１６（下方の図参照）および図１８（ａ）に示すように、第１プレート２６が複数列の接続端子列２２ａ、２２ｂよりも該接続端子の列方向の両外方側でコネクタハウジング２１−２に装着され、第２プレート２７は当該コネクタハウジング２１−２内で複数列の接続端子列２２ａ、２２ｂの間で該接続端子の列方向に延在している。導電性部材２５Ｃの他の構成は、第１実施形態に係る電気コネクタ２０Ａに用いる導電性部材２５Ａ（図６参照）と同様である。
【００９１】
一方、電気コネクタ２０Ｃにおいて、補強金具２４−２は、図１５、図１６および図１８に示すように、コネクタハウジング２１−２に対する外装時、該コネクタハウジング２１−２に装着されている上述した導電性部材２５Ｃの第１プレート２６の対称位置に向かい合って配置される各係合板部２６ｇを、各々の位置でそれぞれ上側から覆うカバー部２４ｇを有している。
【００９２】
補強金具２４−２において、カバー部２４ｇは、コネクタハウジング２１−２の長手方向両端側の一対の連結板部２４ｂに連続する各一対の曲げ連結部２４ｄと一体に形成されている。より具体的には、カバー部２４ｇは、例えば、図１６に示すように、曲げ連結部２４ｄの上面側（相手側のコネクタ本体部３０と対面する側）における一対の連結板部２４ｂに連続する部分２４ｄ１をコネクタ本体部２０の長手方向に所定長延在させて形成したものである。図１５（ａ）および図１８（ａ）を参照すると、カバー部２４ｇは、補強金具２４−２の一対の曲げ連結部２４ｄにおけるコネクタハウジング２１−２の上面側の部分２４ｄ１が接続端子列２２ａ、２２ｂの列方向にそれぞれの係合板部２６ｇを超える位置まで延在する形状となっている。
【００９３】
より具体的には、カバー部２４ｇは、コネクタ本体部２０の長手方向に関しては、例えば、図１８（ａ）に示すように、コネクタハウジング２１−２に装着されている導電性部材２５Ｃの第１プレート２６における側端板２６ｂ、係合板部２６ｇを超えて凹状嵌合部２１ａのより内奥に至る位置まで延在されている。カバー部２４ｇは、コネクタ本体部２０の短手方向に関しても、例えば、図１８（ｂ）に示すように、コネクタハウジング２１−２に装着されている導電性部材２５Ｃの第１プレート２６における側端板２６ｃ、２６ｄの各係合板部２６ｇよりも凹状嵌合部２１ａの内奥に至る位置まで延在されている。
【００９４】
導電性部材２５Ｃおよび補強金具２４−２を装着したコネクタハウジング２１−２を含む電気コネクタ２０Ｃにおいては、コネクタハウジング２１−２の凹状嵌合部２１ａ内に相手側の電気コネクタ３０Ａの凸状嵌合部３１ａの嵌合を受け入れたときに、導電性部材２５Ｃの第１プレート２６に形成された係合板部２６ｇが、該電気コネクタ３０Ａの補強金具３４に形成される係合凹部３４ｆ（図２、図５参照）に係合し、電気コネクタ３０Ａが抜け出さないように該係合を保持する。このように、電気コネクタ２０Ｃにおいて、コネクタハウジング２１−２に装着される導電性部材２５Ｃは、第１プレート２６の接続端子列２２ａ、２２ｂの列幅方向両側に設けられ、相手側の電気コネクタ３０Ａ（図２、図５参照）の凹凸係合時に該電気コネクタ３０Ａの係合凹部３４ｆ（係合部）に係合して当該電気コネクタ３０Ａを弾性的に保持する弾性保持部材としての係合板部２６ｇを有する。
【００９５】
また、電気コネクタ２０Ｃは、相手側の電気コネクタ３０Ａを凹凸係合させたときに、例えば、図１５（ａ）に示すように、導電性部材２５Ｃの上記列方向両端の一対の側端板２６ｂに対して補強金具２４の各一対の内外の端板部２４ｃが上側から重なった状態でコネクタハウジング２１−２に対して当該補強金具２４−２が外装される。その際、電気コネクタ２０Ｃの下面側においては、図１５（ｂ）に示すように、導電性部材２５Ｃの第１プレート２６における複数のグランド接続部２６ａ１、および第２プレート２７における複数のグランド接続部２７ｂがコネクタハウジング２１−２の基板対向面２１ｃ側に露出している。
【００９６】
これにより、電気コネクタ２０Ｃでは、それぞれの導電性部材２５Ｃのグランド接続部２７ｂおよび２６ａ１がコネクタハウジング２１−２の基板対向面２１ｃ側で回路基板Ｐ（図２参照）に対して容易にグランド接続可能になる。また、この電気コネクタ２０Ｃでは、コネクタハウジング２１−２に装着されたそれぞれの導電性部材２５の第１プレート２６の側端板２６ｂが、補強金具２４−２の端板部２４ｃに接し、補強金具２４−２、３４に対して雌雄の接続端子列２２ａ、２２ｂよりもそれらの列方向の外方側でかつ列幅方向に接続される。そして、この状態において導電性部材２５Ｂによる接地シールド効果が得られることとなる。
【００９７】
上記構成を有するコネクタハウジング２１−２を含む電気コネクタ２０Ｃでは、導電性部材２５Ｃの第１プレート２６における側端板２６ｃ、２６ｄに設けられる一対の係合板部２６ｇが、上側から、補強金具２４−２に形成されたカバー部２４ｇにより覆われた状態となっている。これにより、その後、電気コネクタ２０Ｃのコネクタハウジング２１−２の凹状嵌合部２１ａに相手側の電気コネクタ３０Ａの凸状嵌合部３１ａを受け入れる際（図１１参照）、補強金具２４−２のカバー部２４ｇは、一対の係合板部２６ｇの前方位置で電気コネクタ３０Ａと接し、該電気コネクタ３０Ａによる係合板部２６ｇに対する干渉を防ぐ作用を果たす。
【００９８】
また、カバー部２４ｇは、補強金具２４−２に一体的に形成されることで該補強金具２４−２と同等の強度を有する。このため、相手側の電気コネクタ３０Ａを凹凸係合させる際、電気コネクタ３０Ａの長手方向あるいは短手方向の位置調整、あるいは正しい嵌入角度（図１中のＺ方向）となるように姿勢を調整するいわゆるアライメント作業を、電気コネクタ３０Ａの一部をカバー部２４ｇに当接させながら行うことが可能となる。
【００９９】
上述したように、第２実施形態に係る電気コネクタ２０Ｂは、導電性部材２５Ｂが、第１プレート２６の複数の接続端子列２２ａ、２２ｂの列幅方向両側に設けられ、凹凸係合時に相手側の電気コネクタ３０Ａの係合凹部３４ｆ（係合部）に係合して相手側の電気コネクタ３０Ａを弾性的に保持する弾性保持部材としての係合板部２６ｇを有し、補強金具２４は、係合板部２６ｇを上側から覆うカバー部２４ｇを有している。
【０１００】
これにより、本実施形態に係る電気コネクタ２０Ｂは、相手側の電気コネクタ３０Ａを嵌入、離脱させる際に該電気コネクタ３０Ａが係合板部２６ｇに干渉することを抑制しつつ、電気コネクタ３０Ａの姿勢に影響を与えることなく安定した電気的接続を実現できるようになる。
【０１０１】
また、本実施形態に係る電気コネクタ２０Ｂにおいて、係合板部２６ｇは、第１プレート２６の複数の接続端子列２２ａ、２２ｂの列方向に垂直な方向両側で互いに向き合う位置に設けられる一対のばね部材で構成されている。このように、互いに向かい合う位置、つまり、対称位置に係合板部２６ｇを設けた電気コネクタ２０Ｂの構成によれば、係合板部２６ｇが非対称な位置に設けられているものに比べて、相手側の電気コネクタ３０Ａの姿勢の傾きを抑制することができ、電気的な接続が不安定になることを防止することができるようになる。
【０１０２】
上記各実施形態において、導電性部材２５Ａ、２５Ｂ、２５Ｃの第１プレート２６はグランドに接続されるものとして説明してきたが、第１プレート２６を電源端子として用いる場合には、導電性部材２５Ａ、２５Ｂ、２５Ｃおよびそれに電気的に接続された補強金具２４、２４−２はグランドに接続しない構成とする。
【０１０３】
以上説明したように、本発明は、相手側の電気コネクタ３０Ａの嵌入、離脱に係る力を受けても破壊され難い高い剛性を有し、電気的な接続も安定させることが可能な電気コネクタ２０Ａ、２０Ｂ、２０Ｃおよび電気コネクタセット１０を提供することができるものである。かかる本発明は、回路基板に実装されるソケットとそのソケットに凹凸係合するプラグとを有する電気コネクタ全般に有用である。
【符号の説明】
【０１０４】
１０  電気コネクタセット
２０Ａ、２０Ｂ、２０Ｃ  電気コネクタ
２１、２１−１、２１−２  コネクタハウジング
２１ａ  凹状嵌合部
２１ｈ、２１ｉ  端子保持部
２２ａ、２２ｂ  接続端子列
２４、２４−２  補強金具
２４ｆ  係合凸部
２４ｇ  カバー部
２５Ａ、２５Ｂ、２５Ｃ  導電性部材
２６  第１プレート
２６ａ  プレート面
２６ａ１  グランド接続部
２６ｂ  側端板
２６ｂ５  グランド接続部
２６ｇ  係合板部（弾性保持部材）
２７  第２プレート
２７ａ  プレート面
２８  連結板
３０Ａ  電気コネクタ（相手側コネクタ）
３１  コネクタハウジング
３４  補強金具
【図１】
2020057499.tif 000003
【図２】
2020057499.tif 000004
【図３】
2020057499.tif 000005
【図４】
2020057499.tif 000006
【図５】
2020057499.tif 000007
【図６】
2020057499.tif 000008
【図７】
2020057499.tif 000009
【図８】
2020057499.tif 000010
【図９】
2020057499.tif 000011
【図１０】
2020057499.tif 000012
【図１１】
2020057499.tif 000013
【図１２】
2020057499.tif 000014
【図１３】
2020057499.tif 000015
【図１４】
2020057499.tif 000016
【図１５】
2020057499.tif 000017
【図１６】
2020057499.tif 000018
【図１７】
2020057499.tif 000019
【図１８】
2020057499.tif 000020